(57)【要約】【課題】  隣接されるショーケースの連結作業性を向上することができると共に、外観の向上を図ることができる連結装置を備えたショーケースを提供する。【解決手段】  断熱壁２の前壁２Ｃ下部が後退した後退部２Ｄの一側に隣接するショーケースとの連結装置を備えたショーケース１において、連結装置は、後退部２Ｄに固定された受け金具６７と、受け金具６７と隣接するショーケース１の受け金具６７とに渡って取り付けられる連結金具７２とから構成され、受け金具６７は、後退部２Ｄの前側に位置して前方に面した取付面７０を有し、取付面７０には連結金具７２を取り付けるための取付孔７３が形成されている。【選択図】図６
2007222307.tif 000002
【特許請求の範囲】
【請求項１】
断熱壁の前壁下部が後退しており、この後退部の一側に隣接するショーケースとの連結装置を備えたショーケースにおいて、
前記連結装置は、前記後退部に固定された受け金具と、当該受け金具と前記隣接するショーケースの受け金具とに渡って取り付けられる連結金具とから構成され、
前記受け金具は、前記後退部の前側に位置して前方に面した取付面を有し、該取付面には前記連結金具を取り付けるための取付孔が形成されていることを特徴とするショーケース。
【請求項２】
前記受け金具の取付面には、引き寄せ用の工具を係合するための係合孔が形成されていることを特徴とする請求項１に記載のショーケース。
【発明の詳細な説明】
【技術分野】
【０００１】
本発明は、隣接して設置されるショーケースと連結する連結装置を備えたショーケースに関するものである。
【背景技術】
【０００２】
従来よりスーパーマーケット等の店舗内には内部に陳列室を構成するショーケースが複数台並設され、食品等の商品の展示販売に供される。一般に、複数台のショーケースが並設される場合、各陳列室内における商品の陳列に一体感を持たせるため、隣接する端部には、側板を設けずに、設置現場において直接、隣接するショーケースの端部とを突き合わせ、これらショーケースの内部に設けられる陳列室内を連通させた状態とし、連続した一つの陳列室を構成する（特許文献１参照）。
【０００３】
ここで、図９、図１０を参照して従来のショーケースの連結構造について説明する。ショーケースの本体を構成する断熱壁１００は、前面に開口する断面略コ字状に形成され、断熱壁の下側前壁１０１は、下部が後退した後退部１０２とされており、当該後退部１０２の下端は、断熱壁１００を構成する底壁１０３前端と連続している。そして、この後退部１０２には、断面略Ｌ字状に形成される連結具１０５が固定され、隣接して設けられる他方のショーケースに取り付けられる連結具１０５と突き合わせ、これら連結具１０５にボルトを挿通し、ナットを螺合して相互に連結する構成とされる。
【０００４】
また、これら後退部１０２の前面には、店舗内において使用されるカート等の台車の衝突からショーケースを保護する目的でバンパー１０６が設けられる。隣接するショーケースの連結部分においては、これらバンパー１０６を連結するため、後退部１０２の前面には、前面が略垂直となる断面略コ字状のバンパー連結具１０７が取り付けられる。そして、バンパー１０６の端部を突き合わせた状態で両ショーケースにバンパー１０６を取り付け、これらバンパー１０６の連結部分の前面には、バンパー連結カバー１０８を宛い、当該バンパー連結カバー１０８は、上記バンパー連結具１０７にネジにて螺合する。これによって、バンパー１０６部分の連結部は、バンパー連結カバー１０８によって被覆される。
【０００５】
また、この断熱壁１００の下側前壁１０１の上端には、長手方向に渡ってハンドレール１１０が設けられる。隣接するショーケースの連結部分においては、これらハンドレール１１０を被覆するように、ハンドレール連結カバー１１１が取り付けられる。
【特許文献１】特開平５−３０５０１９号公報
【発明の開示】
【発明が解決しようとする課題】
【０００６】
上述した如き連結具１０５は、前壁１０１の下部が奥まった後退部１０２に取り付けられているため、他方の連結具１０５との連結作業が困難であった。また、これら連結具１０５は、突き合わせることで、ボルトとナットによって連結する構成をとっていたため、予めショーケース自体を断熱壁１００の前壁が面一となるように配置し、その上で、連結具１０５、１０５を突き合わせる作業を行わなければならなかった。
【０００７】
しかしながら、ショーケース自体は大型であるため、微妙な位置合わせが困難であり、当該ショーケースに設けられる連結具１０５をピッタリと面合わせすることは実際上困難であった。特にショーケースの両側に他のショーケースを並設する場合においては、それぞれの端部において位置合わせを行わなければならず、すべてのショーケースの前壁を面一とすることは、非常に困難となる。
【０００８】
そのため、多少のずれを緩衝しながら連結具１０５によってボルトとナットとの螺合によりショーケースの連結を行うこととなり、ショーケースの突き合わせ面、即ち、バンパーの突き合わせ部分やハンドレールの突き合わせ部分においては、隙間が生じる。この隙間を隠蔽する必要があることから、バンパー連結カバー１０８やハンドレール連結カバー１１１を設けられる。
【０００９】
しかしながら、このようなバンパー連結カバー１０８やハンドレール連結カバー１１１の存在は、並設されるショーケースの一体感を阻害するものであり、外観上好ましくないという問題がある。特に、ハンドレール連結カバー１１１は、ハンドレール１１０よりも上方に突出したかたちで設けられることとなるため、埃やゴミ等が堆積しやすく、清掃性が悪いことから、衛生上問題がある。また、顧客や作業者の袖口等が引っ掛かりやすいため、市場から当該連結カバーを削除したいとの要望がある。
【００１０】
そこで、本発明は従来の技術的課題を解決するためになされたものであり、隣接されるショーケースの連結作業性を向上することができると共に、外観の向上を図ることができる連結装置を備えたショーケースを提供する。
【課題を解決するための手段】
【００１１】
本発明のショーケースは、断熱壁の前壁下部が後退しており、この後退部の一側に隣接するショーケースとの連結装置を備えたものであって、連結装置は、後退部に固定された受け金具と、当該受け金具と隣接するショーケースの受け金具とに渡って取り付けられる連結金具とから構成され、受け金具は、後退部の前側に位置して前方に面した取付面を有し、該取付面には連結金具を取り付けるための取付孔が形成されていることを特徴とする。
【００１２】
請求項２の発明のショーケースは、上記発明において、受け金具の取付面には、引き寄せ用の工具を係合するための係合孔が形成されていることを特徴とする。
【発明の効果】
【００１３】
本発明によれば、断熱壁の前壁下部が後退しており、この後退部の一側に隣接するショーケースとの連結装置を備えたショーケースにおいて、連結装置は、後退部に固定された受け金具と、当該受け金具と隣接するショーケースの受け金具とに渡って取り付けられる連結金具とから構成され、受け金具は、後退部の前側に位置して前方に面した取付面を有し、該取付面には連結金具を取り付けるための取付孔が形成されているので、連結作業を断熱壁の前側において行うことが可能となり、作業性を向上させることができる。
【００１４】
特に、連結金具を両受け金具の取付面に渡って宛い、取付孔を用いてネジなどの固定具によって固定するため、両ショーケースの断熱壁前面の面合わせが容易となる。これにより、両ショーケースの断熱壁前面をピッタリと面合わせすることが可能となり、隙間なく連結することが可能となる。
【００１５】
そのため、突き合わせ部分を被覆するためのカバー部材を設ける必要がなくなり、ショーケースの連結に一体感を持たせることが可能となる。また、バンパーの連結部分やハンドレールの連結部分に凹凸が形成されないことから、埃等の堆積を抑制することができると共に、清掃性が向上し、衛生的に使用することが可能となる。
【００１６】
請求項２の発明によれば、上記発明において、受け金具の取付面には、引き寄せ用の工具を係合するための係合孔が形成されているので、連結金具を受け金具の取付面に宛った状態で、引き寄せ用の工具にて受け金具を連結金具側に引き寄せる作業を行うことにより、微細なずれを当該引き寄せ作業によって解消することが可能となり、より一層、両ショーケースの断熱壁前面を隙間なく連結することが可能となる。
【００１７】
また、この引き寄せ用の工具を係合するための係合孔は、受け金具の取付面に形成されていることから、断熱壁の前側において、作業を行うことが可能となり、連結作業性の向上を図ることができるようになる。
【発明を実施するための最良の形態】
【００１８】
次に、図面を参照して本発明の実施形態について詳述する。図１は本発明を適用したショーケースとしてのオープンショーケース１の斜視図、図２は図１のオープンショーケース１の縦断側面図をそれぞれ示している。
【００１９】
オープンショーケース１は、例えばスーパーマーケットなどの店舗内に複数台並設されて据え付けられる縦型のオープンショーケースであり、前面に開口する断面略コ字状の断熱壁２と、据え付け現場において断熱壁２の側面に取り付けられた断熱性の側板５、５とから構成されている。尚、当該側板５は、隣接するオープンショーケース１が並設されていない側の断熱壁２の側面にのみ取り付けられ、隣接してオープンショーケース１が並設された側の断熱壁２の側面には、側板５は、取り付けられていないものとする。尚、当該ショーケース１の連結構造の詳細については後述する。
【００２０】
各オープンショーケース１の断熱壁２の内側にはそれぞれ間隔を存して仕切板４及び図示しないもう一枚の仕切板が取り付けられ、これら仕切板４などと断熱壁２間に図示しない内外二層のダクトが形成されている。
【００２１】
内側の仕切板を構成する背部仕切板１０の下端前方には、底板９が断熱壁２の底壁２Ａとの間にダクト用の間隔を存して取り付けられており、これら仕切板４及び底板９の内側を陳列室１１としている。
【００２２】
また、この陳列室１１内には、高さ及び取付角度が変更可能であると共に、陳列室１１内背部の図示しない支柱に取り付けられる一対のブラケット３１及びこれらと共に棚装置を構成する棚板３２が複数段に渡って架設されている。棚板３２の前縁には、硬質合成樹脂により成形されるプライスレール３４が取り付けられており、当該プライスレール３４は、棚板３２の装飾体を兼用している。また、この棚板３２の前壁とプライスレール３４との間には、所定の間隔が形成されており、当該間隔には棚板３２上の商品が落下することを防止するためのガード３５が取り付けられる。また、各棚板３２の下面前部には、下方の棚板３２上に陳列される商品を照明するための照明灯３６が配設されている。
【００２３】
断熱壁２の前面開口１２の上縁にはハニカム材１３、１４がそれぞれ取り付けられた内層吐出口１６及び外層吐出口１７が並設されており、これら内層吐出口１６及び外層吐出口１７は、前記内層ダクト及び外層ダクトにそれぞれ連通している。また、開口１２の下縁には、内層吸込口１８と外層吸込口１９が並設されている。
【００２４】
一方、底板９下方後部には断熱壁２の底壁２Ａ上に前記内層ダクト及び外層ダクトのそれぞれに対応する図示しない送風機が複数台設置されている。
【００２５】
背部仕切板１０後方の内層ダクト内には冷却装置の図示しない冷却器が縦設されており、前記内層ダクトに対応した送風機が運転されると冷却器と熱交換した冷気は内層ダクト内を上昇せられ、内層吐出口１６より内層吸込口１８に向かって吐出される。そして、内層吸込口１８から吸い込まれた冷気は再び前記送風機によって加速される。
【００２６】
一方、前記外層ダクトに対応した送風機が運転されると外層ダクト内の空気は外層ダクト内を上昇せられ、外層吐出口１７より外層吸込口１９に向かった吐出される。そして、外層吸込口１９から吸い込まれた空気は再び前記送風機によって加速される。これによって、開口１２には前後二重のエアーカーテンが形成され、内側の冷気エアーカーテンの一部が陳列室１１内に循環されて陳列室１１は冷却される。
【００２７】
一方、断熱壁２の天壁２Ｂ前端にはパネル３３が取り付けられており、このパネル３３の前面には温度計３８が設けられている。また、このパネル３３の内側角隅部には、陳列室１１全体を照明するための照明灯３７が設けられていると共に、内層吐出口１６の陳列室１１側の天面仕切板８には、同じく陳列室１１内を上方から照明するための照明灯３９が設けられている。尚、図２において、４０は夜間等の営業時間外において陳列室１１内の冷気が外部に漏洩することを防止するためのナイトカバーであり、本実施例ではロールスクリーンにて構成され、外層吐出口１７の前側に位置して前下方に指向した吐出口外壁４１の上面と断熱壁２の上部前壁との間に形成される空間に設けられる。
【００２８】
一方、断熱壁２の下側前壁２Ｃは、下部が底壁２Ａの前端に渡って後退した後退部２Ｄとされており、当該後退部２Ｄは、底壁２Ａの前端と連続して構成される。係る前壁２Ｃの上面には、ハンドレール２０が取り付けられており、前壁２Ｃの前面には、前面下パネル２１が取り付けられ、後退部２Ｄの前面には前面下パネル２１と略面一となるようにバンパー２２が取り付けられる。
【００２９】
ここで、ハンドレール２０の構成について図３及び図４を参照して説明する。図３はハンドレール２０付近の縦断側面図、図４はフロントガラス７が取り付けられた状態のハンドレール２０付近の縦断側面図を示している。
【００３０】
ハンドレール２０は、ハンドレール本体２４と、前面上パネル２５と、上カバー２６とから構成される。ハンドレール本体２４は、ショーケース１の開口１２下縁の全幅に渡って設けられており、硬質合成樹脂によって構成される。このハンドレール本体２４は、断熱壁２の下側前壁２Ｃの上面の前後に渡って設けられるものであり、当該ハンドレール本体２４の前端及び後端には、それぞれ下方に向けて延出して構成される保持片４１、４２が形成される。これによって、ハンドレール本体２４は、断熱壁２の下側前壁２Ｃに固定される。
【００３１】
そして、断熱壁２の下側前壁２Ｃの上面に位置するハンドレール本体２４は、上方に立設するフロントガラス保持部４３が形成されており、当該フロントガラス保持部４３は、上面に開口する凹陥溝４４が形成されている。当該凹陥溝４４は、詳細は後述するフロントガラス７の端部を挿入可能とし、当該凹陥溝４４の内面、本実施例では、前側に位置する内面には、挿入されるフロントガラス７を保持するための複数の保持突起４５が形成されている。尚、この保持突起４５は、後述する上カバー２６に形成される突起５０と係合する被係合部を構成する。
【００３２】
そして、このフロントガラス保持部４３の前部を構成する前壁上端４３Ａは、少許前方に変位して、少なくとも上カバー２６又はフロントガラス７が取り付けられた状態で、これら上カバー２６等と所定の空間を構成する。
【００３３】
また、このフロントガラス保持部４３の後面には、後方に延出してダクト板取付部４３Ｂが形成されており、当該ダクト板取付部４３には、前述した内層吸込口１８及び外層吸込口１９が形成される図示しない吐出口ダクト板が挿入保持される。
【００３４】
前面上パネル２５は、上記ハンドレール本体２４と同様にショーケース１の開口１２下縁の全幅に渡って設けられており、化粧塗装が施された鋼板性材料にて構成されている。また、この前面上パネル２５は、上端から下端に渡って所定曲率にて湾曲して形成されている。前面上パネル２５の上端は、下方に略直角に折曲された係合部５１が形成されている。前面上パネル２５の下端は、下方に開口した断面略コ字状を呈しており、下方から前面下パネル２１を係脱自在に係止する下パネル保持部５３とされている。この下パネル保持部５３を構成する外方側に位置する保持片下端及び断熱壁２側の保持片下端には、収容される前面下パネル２１に向けて突出する保持部５３Ａ及び５３Ｂが形成されている。そのため、当該下パネル保持部５３に収容される前面下パネル２１が容易に脱落しない構成とされる。
【００３５】
また、この前面上パネル２５の中程には、ハンドレール本体２４の前側保持片４１に対応する位置に、ハンドレール本体２４側に突出した保持片５４が形成されている。そして、この保持片５４を挟んで上側と下側には、連結ピン収容部５５が形成されている。この連結ピン収容部５５は、複数のショーケース１を隣接して設置し、これらショーケース１を連結して使用する場合に両ショーケース１のハンドレール２０の高さを合わせるために用いられる連結ピン５６、５６を挿入保持するための収容部である。尚、本実施例では、上側に位置する連結ピン収容部５５は、ハンドレール本体２４の前壁に近接した位置に形成されており、下側に位置する連結ピン収容部５５は、下パネル保持部５３を構成する上面と一体に形成されている。
【００３６】
上カバー２６は、ハンドレール本体２４の凹陥溝４４にフロントガラス７を取り付けない場合において凹陥溝４４を被覆する部材であり、前記ハンドレール本体２４と同様にショーケース１の開口１２下縁の全幅に渡って設けられている。また、この上カバー２６は、軟質合成樹脂にて形成されており、図３に示すように前面上パネル２５の上縁部からフロントガラス保持部４３の後部を形成する後壁上縁部に渡ってこれらを被覆するカバー部５７と、このカバー部５７の下面から下方に延出して構成される挿入部５８とが一体に形成されて構成される。
【００３７】
挿入部５８は、本実施例では、前面に前方に向けて突出する突起５０及び５２が形成されており、突起５０は、前記ハンドレール本体２４の凹陥溝４４に形成される複数の保持突起４５との間に進入することで、係脱自在に係合される。また、突起５２は、当該上カバー２６とハンドレール本体２４の前壁上端４３Ａとの間に挿入・係止される前面上パネル２５の係合部５１と当接する位置に形成されている。これにより、上カバー２６の挿入部５８は、ハンドレール本体２４の凹陥溝４４内に略きっちりと保持可能とされる。
【００３８】
以上の構成により、断熱壁２の下側前壁２Ｃにハンドレール２０を取り付ける際には、先ず、ハンドレール本体２４を下側前壁２Ｃの上面を前後の保持片４１、４２にて挟持するように下側前壁２Ｃに取り付ける。その後、前面上パネル２５の係合部５１をハンドレール本体２４の前壁上端４３Ａに係合させる。このとき、前面上パネル２５に形成される保持片５４は、ハンドレール本体２４の保持片４１上面に保持される。これによって、断熱壁２の下側前壁２Ｃにハンドレール本体２４及び前面上パネル２５が安定して取り付けられる。
【００３９】
一方、フロントガラス７は、透明で前面開口１２の略全幅に渡る寸法を有した横長の平板状ガラスであり、その上端には、ガラス枠７Ａが取り付けられると共に、その下端には図示しないパッキンが取り付けられている。
【００４０】
当該フロントガラス７をハンドレール２０に取り付けて使用する場合には、図４に示されるように当該フロントガラス７の下端をハンドレール本体２４に形成されるフロントガラス保持部４３の凹陥溝４４に挿入し、ハンドレール２０に立設する。このとき、凹陥溝４４内に収容されるフロントガラス７の後面は、フロントガラス保持部４３の後部を構成する凹陥溝４４の後側内面にて支持されると共に、フロントガラス７の前面は、フロントガラス保持部４３の前部を構成する凹陥溝４４の前側内面に形成される各保持突起４５及び前面上パネル２５の係合部５１後面にて支持され、当該フロントガラス７はこれらによって挟まれるかたちとなり、安定して保持される。これにより、オープンショーケース１の開口１２の下縁に位置するハンドレール２０にフロントガラス７を立設することができる。
【００４１】
他方、フロントガラス７を取り付けないで使用する場合には、図３に示されるようにハンドレール本体２４に上カバー２６を取り付ける。即ち、上カバー２６の挿入部５８をハンドレール本体２４のフロントガラス保持部４３に形成される凹陥溝４４に挿入する。このとき、凹陥溝４４内に収容される挿入部５８の後面は、凹陥溝４４の後側内面にて支持される。そして、挿入部５８の前面に形成される突起５０は、凹陥溝４４の前側内面に形成される被係合部としての各保持突起４５と係合され、突起５２は、前面上パネル２５の係合部５１の後面にて支持される。
【００４２】
これにより、上カバー２６はこれらによって挟まれると共に、挿入部５８の突起５０が凹陥溝４４側の被係合部としての各保持突起４５と係合されることで、安定して凹陥溝４４を閉塞する。特に、挿入部５８の突起５０は、凹陥溝４４に形成される被係合部と係合することで、挿入部５８の取付を確実なものとすることができ、当該上カバー２６がハンドレール本体２４から浮き上がり、陳列室１１内への商品の出し入れ作業の際に、当該上カバー２６が脱落してしまう不都合を回避することができる。
【００４３】
当該上カバー２６が凹陥溝４４に取り付けられた状態で、挿入部５８と一体に構成されるカバー部５７は、前面上パネル２５の上縁部からフロントガラス保持部４３の後部を形成する後壁上縁部に渡ってこれらを被覆する。
【００４４】
これにより、フロントガラス７を取り付けない状態においても凹陥溝４４を挿入部５８が進入してカバー部５７により全体が覆われるため、当該凹陥溝４４を隠蔽することが可能となる。そのため、上面に開口している凹陥溝４４内に塵埃が堆積する不都合を解消することができる。
【００４５】
また、上カバー２６のカバー部５７は、前面上パネル２５の上縁部を被覆するため、当該前面上パネル２５の上縁部及び付近の塗装面は、軟質合成樹脂にて構成される上カバー２６にて保護される。そのため、陳列室１１内への商品の出し入れ作業の際に、作業者や顧客等が直接前面上パネル２５の上端に接触し難い構成とすることができる。従って、化粧塗装が施されている前面上パネル２５に傷が付きにくくなり、塗装が剥がれてしまう不都合や、複数の傷が繰り返し付けられることにより生じる塗装面のささくれ立ちを抑制することが可能となる。これにより、当該前面上パネル２５の塗装面の経年劣化を抑制され、使用年数が経過した場合であっても、外観低下を抑止することができ、美的外観の維持を図ることができる。
【００４６】
尚、上記ハンドレール２０を構成する上カバー２６は、上述した如き構成に限定されるものではなく、例えば図５に示される上カバー６０のような構成としてもよい。即ち、図５に示される上カバー６０は、上記上カバー２６を構成するカバー部５７に代わってカード保持部６１が上記挿入部５８と一体に形成されている。
【００４７】
当該カード保持部６１は、前面上パネル２５の上部からフロントガラス保持部４３の後部を形成する後壁上面に渡って構成されている。そして、このカード保持部６１は、前端が後端よりも低く形成され、後端には前方に向けて形成される係止片６２が形成されると共に、前端には前記係止片６２に向けて形成される係止片６３が形成される。そして、こされ係止片６２、６３間は、凹状に湾曲して形成されており、これら係止片６２、６３によって陳列室１１内に陳列された商品の品名や価格等を記載した紙又は樹脂シートから成る図示しない表示カードを係脱自在に保持する。
【００４８】
係る構成により上カバー６０を取り付ける際には、上記上カバー２６の場合と同様に挿入部５８をハンドレール本体２４の凹陥溝４４に挿入する。これにより、上カバー２６の場合と同様に、挿入部５８の突起５０と凹陥溝４４側の被係合部としての各保持突起４５との係合により、安定して凹陥溝４４が閉塞される。
【００４９】
また、上カバー６０が凹陥溝４４に取り付けられた状態で、挿入部５８と一体に構成されるカード保持部６１は、前面上パネル２５の上部からフロントガラス保持部４３の後部を形成する後壁上面に渡ってこれらを被覆する。これにより、上記上カバー６０の場合と同様にフロントガラス７を取り付けない状態においても凹陥溝４４を挿入部５８が進入してカード保持部６１により全体が覆われるため、当該凹陥溝４４を隠蔽することが可能となる。そのため、上面に開口している凹陥溝４４内に塵埃が堆積する不都合を解消することができる。
【００５０】
また、上カバー６０のカード保持部６１は、上カバー２６のカバー部５７よりも広い範囲に渡って前面上パネル２５の上面を被覆するため、より一層広い範囲の当該前面上パネル２５の上縁部及び付近の塗装面が、軟質合成樹脂にて構成される上カバー６０にて保護される。そのため、陳列室１１内への商品の出し入れ作業の際に、作業者や顧客等が直接前面上パネル２５の上端に接触し難い構成とすることができる。従って、化粧塗装が施されている前面上パネル２５に傷が付きにくくなり、塗装が剥がれてしまう不都合や、複数の傷が繰り返し付けられることにより生じる塗装面のささくれ立ちを抑制することが可能となる。これにより、当該前面上パネル２５の塗装面の経年劣化を抑制され、使用年数が経過した場合であっても、外観低下を抑止することができ、美的外観の維持を図ることができる。
【００５１】
更にまた、この上カバー６０は、カード保持部６１に表示カードを係脱自在に保持することが可能であるため、ショーケース全体の一体感を維持しつつ、陳列される商品についての情報等を任意に取り付けることが可能となり、利便性が向上される。
【００５２】
次に、図６乃至図８を参照して、二台のオープンショーケース１を連結するための連結構造について説明する。図６は連結部分の分解斜視図、図７は連結状態の正面図、図８は連結されたオープンショーケース１の部分斜視図を示している。
【００５３】
断熱壁２の底壁２Ａの下端、又は下方に位置して、本実施例では、底壁２Ａの前端下方に設けられる前面パネル６５の上部には、前方に延出する下部保持板６６が取り付けられている。この下部保持板６６は、前端が斜め上方に向けて所定角度にて折曲形成された保持面６６Ａとされており、当該保持面６６Ａ上端は断熱壁２の下側前壁２Ｃと略面一とされる位置よりも少許後方の位置まで臨んでいる。
【００５４】
そして、各オープンショーケース１の側端に位置する断熱壁２の後退部２Ｄには、後述する連結金具７２と共に連結装置を構成する受け金具６７が固定される。当該受け金具６７は、鋼板にて形成されており、上端が後退部２Ｄの傾斜角度に沿って折曲される上部取付片６８と、後退部２Ｄに取り付けられた状態で下側前壁２Ｃと略平行となる取付面７０と、当該取付面７０の下端が一旦前方に略直角に折曲された後、当該前端が、前記下部保持板６６の保持面６６Ａの前面を被覆する角度にて折曲される下部取付片６９とされる。この上部取付片６８には、後退部２Ｄに固定するためのボルトを挿通する固定孔が複数形成されていると共に、下部取付片６９のすぐ上方に位置する取付面７０下部には、後述する取付部材７６の取付面７６Ｂに固定するためのボルトを挿通する固定孔が複数形成されている。
【００５５】
そして、取付面７０の上部には、切り起こしによって上端を中心に上方に略直角に折曲された支持片７１が形成されると共に、当該支持片７１の少許上方に位置する取付面７０の両側部には、前面下パネル２１及びバンパー２２を共締めにて固定するための図示しない固定孔が形成されている。また、当該取付面７０には、支持片７１の下方に位置して両側部に連結金具７２をボルト７５にて固定するための取付孔７３が左右それぞれ２箇所、合計４箇所、形成されている。また、この取付孔７３の内方に位置して引き寄せ用の工具を挿入するための引寄孔７４が形成されている。
【００５６】
他方、断熱壁２の後退部２Ｄの下端には、取付部材７６が取り付けられる。この取付部材７６は、後端が後退部２Ｄの傾斜角度に沿って下方に向けて折曲される固定面７６Ａとされると共に、前端が前記受け金具６７の取付面７０後面の沿って略垂直に下方に向けて折曲される取付面７６Ｂとされる。
【００５７】
係る構成により、先ず、取付部材７６の固定面７６Ａを断熱壁２の後退部２Ｄの下端にボルトによって固定する。これにより、取付部材７６は、下部保持板６６の上面に位置する。その後、受け金具６７の下部取付片６９を構成する水平面を下部保持板６６の上端に載置する。この状態で、受け金具６７の下部取付片６９は、下部保持板６６の下部保持片６６Ａの前側に位置し、受け金具６７の取付面７０下部は、後退部２Ｄに固定される取付部材７６の取付面７６Ｂに当接する。当該受け金具６７の取付面７０に形成される前記固定孔を用いて取付面７６Ｂにボルトによって固定する。これにより、受け金具６７の取付面７０は、断熱壁２の後退部２Ｄの前側に位置して下側前壁２Ｃの前面より少許後退した位置で前方に面している。
【００５８】
尚、この状態で断熱壁２の下側前壁２Ｃの前面に取り付けられる前面下パネル２１は、上端をハンドレール２０を構成する前面上パネル２５の下パネル保持部５３に挿入することで、当該前面下パネル２１の下端は、受け金具６７の支持片７１にて支持される。そのため、長手方向に渡って構成される前面下パネル２１を工具を使用することなく、仮に下側前壁２Ｃに取り付けることができ、作業性が向上される。またこれにより、前上パネル２５の下側に前面下パネル２１が連続して構成されることとなる。
【００５９】
前記連結金具７２は、鋼板性材料にて構成されており、上端には前方に略直角に折曲された後、当該前端が下方に略直角に折曲されたバンパー当接辺７８が形成されており、当該バンパー当接辺７８の中央には、両ショーケース１に取り付けられるバンパー２２の端縁を収容し、係合するためのバンパー係合溝７９が形成されている。
【００６０】
そして、この連結金具７２の前面には、隣接する両ショーケース１に取り付けられる受け金具６７に固定するための複数の取付孔８０が形成されている。この取付孔８０は、本実施例では、各ショーケース１の受け金具６７に形成される４箇所の取付孔７３と重合可能な位置に、合計８箇所形成されており、これらはボルト７５にて固定可能とされている。
【００６１】
また、連結金具７２の取付孔８０の内方には、前記受け金具６７に形成される引寄孔７４と重合して、引き寄せ用の工具を挿入可能とする引寄孔８１が形成されている。
【００６２】
以上の構成により、隣接するオープンショーケース１の連結方法について説明する。先ず、オープンショーケース１、１を断熱壁２の側面同士を突き合わせ、当該断熱壁２の下側前壁２Ｃが略面一となるように配置する。そして、一方のショーケース１のハンドレール２０を構成する前面上パネル２５の連結ピン収容部５５、５５に連結ピン５６、５６を挿入する。
【００６３】
両ショーケース１の後退部２Ｄ前面に取り付けられる受け金具６７、６７に渡って連結金具７２を取り付ける。この場合において、先ず、始めに一方の受け金具６７の各取付孔７３と連結金具７２の取付孔８０とを重合させ、ボルト７５にて螺合し固定する。その後、他方の受け金具６７の各取付孔７３と連結金具７２の取付孔８０とを重合させ、ボルト７５にて螺合し固定する。
【００６４】
この場合において、ショーケース１自体は重量が嵩むことから微妙な位置合わせが困難である。そのため、上述した如き断熱壁２の側面同士を突き合わせ、下側前壁２Ｃが略面一となるように配置した場合であっても、多少のずれが生じている。そこで、引き寄せ用の工具を用いて先ず連結金具７２の引寄孔８１に挿入し、その状態のまま受け金具６７の引寄孔７４に挿入し、これらがピッタリと重合するように工具を操作する。これによって、微妙に位置がずれていたショーケース１の下側前壁２Ｃを一方のショーケース１の下側前壁２Ｃと前面が略面一となるように引き寄せることが可能となる。
【００６５】
これにより、微細なずれを当該引き寄せ作業によって解消することが可能となるため、容易に両ショーケース１の断熱壁２前面を隙間なく連結することが可能となる。
【００６６】
また、この引寄用の工具を係合するための引寄孔７４は、受け金具６７の取付面７０に形成されていることから、断熱壁２の前側において、作業を行うことが可能となり、引き寄せ作業を容易に行うことが可能となる。
【００６７】
そして、上述した如く隙間なく且つ、下側前壁２Ｃが略面一となるように他方のショーケース１が連結金具７２によって引き寄せられた状態で、受け金具６７の各取付孔７３と連結金具７２の取付孔８０とを重合させ、ボルト７５にて螺合し固定する。
【００６８】
これにより、隣接するショーケース１の連結作業を断熱壁２の下側前壁２Ｃから奥まった後退部２Ｄではなく、下側前壁２Ｃに面した前側において、行うことが可能となるため、作業性を向上することができる。また、当該連結金具７２と各受け金具６７との固定作業を確実に行うことが可能となり、一方のショーケース１が店舗内で使用されるカート等によって衝突された場合であっても、当該連結部分にずれが生じる不都合を解消することが可能となる。
【００６９】
尚、この状態において、一方のショーケース１のハンドレール２０を構成する前面下パネル２１に取り付けられた連結ピン５６は、上述した如く連結金具７２によって連結される段階で、他方のショーケース１のハンドレール２０を構成する前面下パネル２１の連結ピン収容部５５内に収容される。これにより、両ショーケース１のハンドレール２０は、容易に高さ合わせを行うことが可能となり、段差なくハンドレール２０の連結を行うことが可能となる。
【００７０】
そして、連結金具７２によって連結された両ショーケース１は、それぞれの断熱壁２の後退部２Ｄの前方に前述した如きバンパー２２、２２を取り付ける。このとき、バンパー２２の上端は、前記前面下パネル２１の下端が支持される受け金具６７の支持片７１に係止されると共に、下端は下部保持板６６の下面に係止される。また、両バンパー２２の連結部分に相当する端部は、連結金具７２に形成されるバンパー係合溝７９内に係合される。この状態で、バンパー２２の後面は、連結金具７２のバンパー当接辺７８に当接し、当該バンパー２２の強度が維持される。
【００７１】
これにより、各ショーケース１に取り付けられる受け金具６７、連結金具７２により構成される連結装置を含む断熱壁２の後退部２Ｄは、各バンパー２２によって隠蔽される。尚、当該後退部２Ｄ前面に位置する下部保持板６６上面には、ショーケース１の一部の制御装置等の電装部品などが収容されるが、当該バンパー２２が取り付けられることで、これらも隠蔽される。
【００７２】
このように、連結金具７２を用いて両ショーケース１の後退部２Ｄに取り付けられる両受け金具６７を固定することで、両ショーケース１の断熱壁２前面の面合わせが容易となり、両ショーケース１の断熱壁２前面をピッタリと面合わせすることが可能。そのため、隙間なく連結することで、両ショーケース１の一体感、連続感が向上されることから、外観の向上を図ることができる。
【００７３】
そのため、突き合わせ部分を被覆するためのカバー部材を設ける必要がなくなり、ショーケース１の連結により一層、一体感、連続感を持たせることが可能となる。また、バンパー２２の連結部分やハンドレール２０の連結部分に凹凸が形成されないことから、埃等の堆積を抑制することができると共に、清掃性が向上し、衛生的に使用することが可能となる。
【図面の簡単な説明】
【００７４】
【図１】本発明を適用したオープンショーケースの斜視図である、
【図２】図１のオープンショーケースの縦断側面図である。
【図３】ハンドレール付近の縦断側面図である。
【図４】フロントガラスが取り付けられた状態のハンドレール付近の縦断側面図である。
【図５】他の実施例としての上カバーが取り付けられた状態のハンドレール付近の縦断側面図である。
【図６】連結部分の分解斜視図である。
【図７】連結状態の正面図である。
【図８】連結されたオープンショーケースの部分斜視図である。
【図９】従来のショーケースの連結部分の分解斜視図である。
【図１０】従来のショーケースの連結部分の斜視図である。
【符号の説明】
【００７５】
１    オープンショーケース
２    断熱壁
２Ａ  底壁
１１  陳列室
１２  前面開口
２０  ハンドレール
２１  前面下パネル
２２  バンパー
２４  ハンドレール本体
２５  前面上パネル
５５  連結ピン収容部
５６  連結ピン
６５  前面パネル
６６  下部保持板
６６Ａ  保持面６６Ａ
６７  受け金具
６８  上部取付片
６９  下部取付片
７０  取付面
７２  連結金具
７３、８０  取付孔
７４、８１  引寄孔
７５  ボルト
７６  取付部材
７６Ａ  固定面
７６Ｂ  取付面
７８  バンパー当接辺
７９  バンパー係合溝
【図１】
2007222307.tif 000003
【図２】
2007222307.tif 000004
【図３】
2007222307.tif 000005
【図４】
2007222307.tif 000006
【図５】
2007222307.tif 000007
【図６】
2007222307.tif 000008
【図７】
2007222307.tif 000009
【図８】
2007222307.tif 000010
【図９】
2007222307.tif 000011
【図１０】
2007222307.tif 000012